(57)【特許請求の範囲】
【請求項１】
排水溝の両側壁への係止部（６）を設けた取付片（３）より複数の突出片（２）を排水溝の内側に突出して溝蓋の受片（１）とした溝蓋の受構造。
【請求項２】
排水溝の両側壁の上端内縁部に設置する取付片（３）より複数の突出片（２）を排水溝の内側に突出して溝蓋の受片（１）とするとともに該突出片（２）より連続して取付片（３）裏側より側壁内に係止部（６）を設けた溝蓋の受構造。
【請求項３】
前記の係止部（６）として軸心に雌ネジ孔（１１）を有するアンカー（Ａ）とし、先端に棒状部（１３）を有する雄ネジ杆（１２）を取付片（３）の通孔（１０）より前記のアンカー（Ａ）の雌ネジ孔（１１）にねじ込んで、該雄ネジ杆（１２）の棒状部（１３）を排水溝内側に突出して溝蓋の受片（１）とした請求項２記載の溝蓋の受構造。
【請求項４】
前記突出片（２）の先端に、排水溝の長手方向に平行する受片（１）を設けた請求項１乃至３記載のうちいずれか一項記載の溝蓋の受構造。
【請求項５】
前記複数の突出片（２）の先端間に受片（１）を連続して設けた請求項１乃至４記載のうちいずれか一項記載の溝蓋の受構造。
【請求項６】
複数の、縦桟（９）と横桟（８）で井桁状に形成した請求項１乃至５記載のうちいずれか一項記載の溝蓋の受構造。
【発明の詳細な説明】
【０００１】
【発明が属する技術分野】
本発明は、塵芥等の異物をスムースに排水溝に流す事ができる溝蓋の受構造とそれに使用するグレーチング溝蓋に関するものである。
【０００２】
【従来の技術】
従来、排水溝は、図７に示すように、コンクリート製または鋼製で排水溝本体を構成し、グレーチング等の溝蓋の受片Ｕは、コンクリート製の排水溝においては、両側壁の上端縁部にアングル鋼を埋め込んで受片Ｕとしている。また、鋼製の排水溝にあっては、同様にアングル鋼の一辺を排水溝の両側壁の上部に溶接して取りつけるとともに他方の水平辺を受片Ｕとしている。しかしながら、塵芥Ｄなどは、溝蓋と受片の垂直辺間の隙間Ｓに溜まる。また、溝蓋としてグレーチング溝蓋Ｇを使用する場合は、グレーチング溝蓋Ｇを構成するメインバーＭ間の前記受片Ｕの水平辺上に、、多量の塵芥Ｄが溜まる。この問題を解決すべく、図８に示す特開２００１−１５９１８９号の提案がなされている。これはグレーチング溝蓋Ｇを構成するメインバーＭの両端部に、排水溝の両側壁の上部に設けた溝蓋の受片Ｕを覆う被覆部材Ｈを設けて塵芥Ｄなどを排水溝に導入するようにしたものである。
【０００３】
しかし、グレーチング溝蓋に別途、被覆部材を設ける事は、材料費が嵩み、また、製作に手間がかかり溝蓋のコスト高につながる。さらに、被覆部材は、グレーチング溝蓋の両端部より排水溝に向かって斜め下方に下がった形態を呈するが、塵芥の種類によっては被覆部材にへばりついて容易に排水溝に落下しない。したがって清掃にも手間が掛かる。
【０００４】
【発明が解決しようとする課題】
本発明は、前記従来のものの問題点を解決するためになされたものである。すなわち、塵芥が、溝蓋と排水溝の両側壁間の間隙及びグレーチング溝蓋のメインバー間の受片上に溜まる事がなく、製作とともに清掃も容易な溝蓋の受構造とこれに使用するグレーチング溝蓋を提供する事を目的とする。
【０００５】
【課題を解決するための手段】
本発明の請求項１の溝蓋の受構造は、排水溝の両側壁への係止部を設けた取付片より複数の、受片である突出片を排水溝の内側に向かって突出した。
【０００６】
本発明の請求項２の溝蓋の受構造は、前記の突出片と一体に連続する係止部を排水溝の両側壁に係止すべく取付片の裏側に設けた。
【０００７】
本発明の請求項３の溝蓋の受構造は、前記の係止部として軸心に雌ネジ孔を有するアンカーとし、先端に棒状部をを有する雄ネジ杆を取付片の通孔より前記のアンカーの雌ネジ孔にねじ込んで、該雄ネジ杆の先端の棒状部を排水溝の内側に突出して溝蓋の受片とした。
【０００８】
本発明の請求項４の溝蓋の受構造は、前記の突出片の先端に排水溝の長手方向に平行する受片を設けた。
【０００９】
本発明の請求項５の溝蓋の受構造は、前記の複数の突出片の先端間に前記の受片を連続して設けた。
【００１０】
本発明の請求項６のグレーチング溝蓋は、外枠を設けずに、複数の、縦桟と横桟を井桁状に形成した。
【００１１】
【発明の実施の形態】
本発明の、溝蓋の受構造においては、受片は、排水溝の両側壁の上端部に係止部により取りつける取付片より突出片を排水溝の内側に突出して溝蓋の受片とした溝蓋の受構造を提供する。また、この突出片の先端に排水溝の長手方向と平行する受片を設けた溝蓋の受構造とした。そして、この溝蓋の受構造に使用するグレーチング溝蓋として外枠を設けずに、複数の、縦桟と横桟とで井桁状に形成したものを提供する。
【００１２】
【実施例】
本発明の溝蓋の受構造の第１実施例としては、図１に示すように、取付片３は、排水溝の両側壁の上端部に設置すべく、垂直辺４と水平辺３とでアングル状に形成し、該水平辺３をさらに。斜め下方に折り曲げ排水溝の側壁への係止部６とした。該取付片３の垂直辺４から丸棒状の突出片２を突出し、この突出片２を溝蓋の受片１とした。なお、突出片２は、丸棒状でなくとも、角棒状であってもよい。また、受片上を緩衝材で被覆してもよい。さらに、排水溝を鋼製とした場合、その両側壁を取付片として、該両側壁より受片を突出してもよい。排水溝への取付片３の設置は、コンクリート躯体で形成される凹部に差筋Ｋをあらかじめ所定間隔に埋め込んでおき、この差筋Ｋに前記の係止部６を溶接して取りつける。その後前記凹部にコンクリートまたはモルタルを打ち込んで排水溝を形成する。
【００１３】
図２は、本発明の溝蓋の受構造の第２実施例の施工状態を示す横断面図である。本実施例においては、溝蓋の受片1である丸棒状の突出片２と一体に係止部６を構成したもので、取付片３の裏側で斜め下方に折り曲げて係止部６を形成する。本実施例においては、突出片２と係止部６を一体に形成したので製作が容易である。
【００１４】
図３は、本発明の溝蓋の受構造の第３実施例の施工状態を示す横断面図である。本実施例においては、係止部６として、ホールインアンカーなどの軸心に雌ネジ孔１１を有するアンカー材Ａを取付片３の外側に溶接等して取付、該雌ねじ孔１１への通孔１０を取付片３に設け、排水溝の内側より、先端に棒状部１３を有する雄ネジ杆１２を通孔１０を経て前記雌ねじ孔１１にねじ込んだものである。受片１である棒状部１３の突出量の調整が可能である。
【００１５】
図４は、本発明の溝蓋の受構造の第４実施例の施工状態を示す一部断面した斜視図である。本実施例においては、第２実施例における突出片２の先端に角鋼材を排水溝の長手方向に沿って溶接などの手段により取り付け、溝蓋の受片１とした。前記の各実施例では、溝蓋同士の隣接部に荷重が懸かっても溝蓋の他端が浮き上がるの防止するために、溝蓋下に受片である一つの突出片を共有してその上に溝蓋を敷設するか、又は隣接溝蓋の隣接外縁近傍下に受片である突出片をそれぞれ設けてそれぞれの溝蓋を支持する。本実施例においては、相隣り合う溝蓋のそれぞれの外縁を一つの受片の上に載せるが、その際に、該受片上に造作無く溝蓋設置できる。
【００１６】
図５は、本発明の溝蓋の受構造の第５実施例の施工状態を示す一部を断面した斜視図である。本実施例においては、第４実施例における角鋼材製の受片１を複数の突出片２間に渡って設けたもので、前実施例のものより、相隣り合う溝蓋を該受片上に、より一層造作無く設置できる。
【００１７】
図６は、本発明のグレーチング溝蓋７の実施例を示す平面図である。外枠を設けず、複数の、縦桟９と横桟８とで井桁状にグレーチング溝蓋７を形成したものである。
【００１８】
【発明の効果】
本発明の溝蓋の受構造においては、受片は、取付部の全長にわたって連続して突出しないので、溝蓋を受片上に敷設しても塵芥等は、溝蓋と取付片間の隙間に堆積することなく排水溝に導入される。また、本発明の溝蓋の受構造に使用されるグレーチング溝蓋は、複数の、縦桟と横桟で井桁状に形成し、さらに、グレーチングのメインバー間の前記の受片上に塵芥などが堆積することがない等実用上優れた効果を発揮する。
【図面の簡単な説明】
【図１】本発明の溝蓋の受構造の第１実施例の施工状態を示す一部を断面した斜視図である。
【図２】本発明の溝蓋の受構造の第２実施例の施工状態を示す横断面図である。
【図３】本発明の溝蓋の受構造の第３実施例の施工状態を示す横断面図である。
【図４】本発明の溝蓋の受構造の第４実施例の施工状態を示す一部を断面した斜視図である。
【図５】本発明の溝蓋の受構造の第５実施例の施工状態を示す一部を断面した斜視図である。
【図６】本発明の溝蓋グレーチング溝蓋の平面図である。
【図７】従来例を示す一部を断面した要部斜視図であるである。
【図８】同様に従来例を示す一部を断面した要部斜視図であるである。
【符号の説明】
１受片
２突出片
３取付片
６係止部
７グレーチング溝蓋
８横桟
９縦桟
１０通孔
１１雌ネジ孔
１２雄ネジ孔
Ｄ塵芥
Ｈ被覆部材
Ｋ差筋
Ｓ隙間
【図１】
0004479943.tif 000002
【図２】
0004479943.tif 000003
【図３】
0004479943.tif 000004
【図４】
0004479943.tif 000005
【図５】
0004479943.tif 000006
【図６】
0004479943.tif 000007
【図７】
0004479943.tif 000008
【図８】
0004479943.tif 000009